(57)【要約】【課題】  引出しの引き出し操作に連動して引き出される内引出しを引き出し限界で連動を断ち切った後に、内引出しを自動的に閉じる方向に後退させることのできる引出し装置を提供すること。【解決手段】  内引出し連動手段により内引出し４の連動が断ち切られた後に、内引出しを閉じる方向に後退させる内引出し後退手段を備える。【選択図】図１
2006141796.tif 000002
【特許請求の範囲】
【請求項１】
引出しと、引出しの内部に配置された内引出しと、内引出しの引き出し限界までは内引出しの引き出し動作を引出しと連動させる一方、引き出し限界を超えたとき、内引出しの連動を断ち切る内引出し連動手段とを備えた引出し装置において、内引出し連動手段により内引出しの連動が断ち切られた後に、内引出しを閉じる方向に後退させる内引出し後退手段を備えていることを特徴とする引出し装置。
【請求項２】
請求項１記載の引出し装置において、内引出し後退手段が、奥側が低くなるように傾斜する、内引出しの前後動をガイドするレールであることを特徴とする引出し装置。
【請求項３】
請求項１記載の引出し装置において、内引出し後退手段が、内引出しを閉じる方向に弾性力が作用する弾性部材から構成されていることを特徴とする引出し装置。
【請求項４】
請求項１記載の引出し装置において、内引出し後退手段が、内引出しを閉じる方向に反発力が作用する磁石から構成されていることを特徴とする引出し装置。
【請求項５】
請求項１ないし４いずれか１項記載の引出し装置において、内引出し連動手段は、内引出しの引出しとの連動とその解除を切り替える切替え手段を備えていることを特徴とする引出し装置。
【発明の詳細な説明】
【技術分野】
【０００１】
本願発明は、引出しの内部に内引出しが配置された引出し装置に関するものである。
【背景技術】
【０００２】
引出しの内部に内引出しが配置された引出し装置が、たとえばキッチンキャビネット等について知られている。このような引出し装置では、内引出しの引き出し操作のために、引出しをまず引き出さなければならないという計２回の引き出し操作を解消するための工夫がなされている（たとえば、特許文献１参照）。
【０００３】
上記特許文献１記載の引出し装置では、引出しの扉裏面と内引出しの前面にマグネットが配設され、引出しの引き出し操作に連動させて内引出しを引き出させるようにしている。また、上記特許文献１記載の引出し装置では、引出しの内部への物品の収納または取出しの際に、内引出しが邪魔にならないように、引出しの奥行を内引出しの奥行よりも長くして、引出しを引き出した途中で引出しと内引出しの固定が外れ、引出しのみを引き出させることを可能にしてもいる。
【特許文献１】特開２００３−２８４６１４号公報
【発明の開示】
【発明が解決しようとする課題】
【０００４】
しかしながら、上記特許文献１記載の引出し装置では、引出しの引き出し途中で内引出しの固定を解除し、引出しのみの引き出し操作を可能にしているが、固定が解除された内引出しは、引出しの上方にとどまっており、引出しの内部に物品を収納し、また、取り出す際の作業に全く支障をきたさないということはなかった。引出しに物品を収納し、また、取り出す際には、引き出された内引出しを閉じなければならないという不都合さがあった。
【０００５】
本願発明は、このような事情に鑑みてなされたものであり、引出しの引き出し操作に連動して引き出される内引出しを引き出し限界で連動を断ち切った後に、内引出しを自動的に閉じる方向に後退させることのできる引出し装置を提供することを課題としている。
【課題を解決するための手段】
【０００６】
本願発明は、上記の課題を解決するために、第１には、引出しと、引出しの内部に配置された内引出しと、内引出しの引き出し限界までは内引出しの引き出し動作を引出しと連動させる一方、引き出し限界を超えたとき、内引出しの連動を断ち切る内引出し連動手段とを備えた引出し装置において、内引出し連動手段により内引出しの連動が断ち切られた後に、内引出しを閉じる方向に後退させる内引出し後退手段を備えていることを特徴としている。
【０００７】
本願発明は、第２には、第１の特徴に加え、内引出し後退手段が、奥側が低くなるように傾斜する、内引出しの前後動をガイドするレールであることを特徴としている。
【０００８】
本願発明は、第３には、第１の特徴に加え、内引出し後退手段が、内引出しを閉じる方向に弾性力が作用する弾性部材から構成されていることを特徴としている。
【０００９】
本願発明は、第４には、第１の特徴に加え、内引出し後退手段が、内引出しを閉じる方向に反発力が作用する磁石から構成されていることを特徴としている。
【００１０】
本願発明は、第５には、第１ないし第４いずれか１つの特徴に加え、内引出し連動手段は、内引出しの引出しとの連動とその解除を切り替える切替え手段を備えていることを特徴としている。
【発明の効果】
【００１１】
本願発明の第１から第４の特徴を有する引出し装置によれば、内引出しを引出しの引き出し操作に連動させて引き出させ、内引出しの引き出し限界で連動を断ち切ることができるばかりでなく、内引出しの連動を断ち切った後に、内引出しを閉じる方向に後退させることができる。引出しに物品を収納し、また、取り出す際に、内引出しが邪魔になることはなく、作業をスムーズに行うことができる。
【００１２】
本願発明の第５の特徴を有する引出し装置によれば、引出しを引き出す際の内引出しの連動とその解除を切り替えることができ、引出しのみを引き出すこともできる。
【発明を実施するための最良の形態】
【００１３】
図１は、本願発明の引出し装置の一実施形態の概要を示した縦断面図である。
【００１４】
引出し装置１はキャビネット２に組み込まれている。引出し装置１は、前後動が可能とされた引出し３と、同じく前後動が可能とされた内引出し４を備えている。引出し３および内引出し４は、ともに、物品の収納および取出しが可能となっている。内引出し４は、引出し３の内部に配置されている。
【００１５】
この引出し装置１では、引出し３の扉５の裏面に永久磁石６が設けられ、この永久磁石６と引き合う方向の磁力が作用する永久磁石７が、内引出し４の前面部８に設けられている。また、引出し装置１では、引出し３の最大引き出し長さＡが、内引出し４の最大引き出し長さＢよりも長くなっている。つまり、Ａ＞Ｂの関係にある。これらの永久磁石６、７と引出し３および内引出し４の最大引き出し長さの関係Ａ＞Ｂとにより、内引出し連動手段が構成されている。
【００１６】
引出し３と内引出し４が閉まっている状態では、永久磁石６、７は互いに引き合い、内引出し４は引出し３に連結されている。このため、引出し３を引き出すと、内引出し４もその移動に連動して引き出される。この引出し３と内引出し４の連動は、内引出し４の最大引き出し長さＢまでの間継続される。一方、内引出し４の最大引き出し長さＢは内引出し４の引き出し限界であり、これを超えると、内引出し４はそれ以上前方に移動することができない。そして、引出し３を引き出す力が永久磁石６、７の吸着力を超えると、永久磁石６は永久磁石７から分離し、引出し３のみを、最大引き出し長さＡ、Ｂの差Ａ−Ｂだけ引き出すことができる。
【００１７】
このように、内引出し連動手段は、内引出し４の引き出し限界まで内引出し４の引き出し動作を引出し３と連動させる一方、引き出し限界を超えたとき、内引出し４の連動動作を断ち切る。
【００１８】
なお、内引出し４には、その側部に、最大引き出し長さＢを印す目印９を設けることができる。したがって、内引出し４を引き出す際には、その目印９が見えるまで引出し３を引き出せばよい。引出し３のみを引き出す際には、目印９を確認し、引出し３をさらに引き出せばよい。
【００１９】
また、永久磁石６、７は、引出し３と内引出し４のいずれか一方にのみ設けることもできる。この場合、他方は、永久磁石以外の磁性体とすることができる。また、永久磁石６、７は、いずれか一方が電磁石であってもよい。
【００２０】
図２＜ａ＞＜ｂ＞は、それぞれ、本願発明の引出し装置の一実施形態とその動作を示した縦断面図である。
【００２１】
図２に示した引出し装置１は、図１に示した引出し装置１を前提としている。図１に示した符号と同一のものには、同一の符号を付している。
【００２２】
そして、図２に示した引出し装置１では、内引出し４の前後動をガイドするレール１０が、奥側が低くなるように傾斜している。言い換えれば、レール１０は、図２＜ａ＞に示したように、水平方向に対して奥側に至るにしたがって角度θだけ斜め下方に傾斜している。このレール１０を図２に示した引出し装置１では内引出し後退手段としている。内引出し後退手段は、内引出し連動手段により内引出し４の引出し３との連動動作が断ち切られた後に、内引出し４を閉じる方向に後退させるようにしている。
【００２３】
前述したように、引出し３を内引出し４の引き出し限界を超えて引き出すと、永久磁石６、７が分離し、内引出し４と引出し３の連結が解除される。すると、レール１０は、奥側が低くなるように傾斜しているため、内引出し４は、引き出し限界にとどまることはできず、図２＜ｂ＞に示したように、自重や内部の物品の重量等によりレール１０の傾斜に沿って後方へと自動的に移動する。したがって、内引出し４は引出し３の上方に位置しないので、引出し３に物品を収納または取り出す際に内引出し４が邪魔になることはない。引出し３の内部への物品の収納および取出し作業をスムーズに行うことができる。
【００２４】
なお、図２に示した引出し装置１では、内引出し４の前後動をガイドするレール１０が、上記のとおり、斜め下方に傾斜しているため、内引出し４は、その引き出し限界までは、引出し３の引き出し操作にともなって斜め上方に移動する。したがって、内引出し４の引き出し限界まで内引出し４の引出し３との連結が解除されないように、永久磁石６、７のいずれか一方にローラ磁石を採用し、永久磁石６、７が分離しないようにすることが好ましい。
【００２５】
図３＜ａ＞＜ｂ＞は、それぞれ、本願発明の引出し装置の別の実施形態とその動作を示した縦断面図である。図中に示した符号の内、図１に示した符号と同一の符号は、同じものを示している。
【００２６】
図３に示した引出し装置１では、内引出し後退手段が、内引出し４を閉じる方向に弾性力が作用する弾性部材から構成されている。具体的には、内引出し４の後端下部に取付け部１１が設けられ、この取付け部１１にばね１２の後端が固定されている。ばね１２の前端は自由端とされている。また、キャビネット２の前面部において内引出し４の下部にばね止め部１３が設けられている。
【００２７】
したがって、図３に示した引出し装置１では、内引出し４の引き出し限界まで引出し３を引き出すと、ばね１２の前端がばね止め部１３に接触した後、ばね１２は、ばね止め部１３と取付け部１１の間に圧縮され、内引出し４を閉じる方向に弾性力が蓄積されていく。内引出し４の引き出し限界を超えて引出し３を引き出すと、前述のとおり、永久磁石６、７が分離し、引出し３と内引出し４の連結が解除されるので、ばね１２に蓄積されていた弾性力が解放され、内引出し４を閉じる方向に後退させる。
【００２８】
このように、図３に示した引出し装置１においても、引出し３を内引出し４の引き出し限界を超えて引き出すことにより、内引出し４を引き出し限界にとどまらせることなく、閉じる方向に自動的に後退させることができる。
【００２９】
なお、図３に示した引出し装置１では、内引出し４の前後動をガイドするレール１０は水平に配置することができる。
【００３０】
図４＜ａ＞＜ｂ＞＜ｃ＞は、それぞれ、本願発明の引出し装置の別の実施形態とその動作を示した縦断面図である。図中に示した符号の内、図１に示した符号と同一の符号は、同じものを示している。
【００３１】
図４に示した引出し装置１では、内引出し後退手段が、内引出し４を閉じる方向に反発力が作用する磁石から構成されている。具体的には、内引出し４の後端下部に永久磁石１４が配設されている。また、キャビネット２の前面部において内引出し４の下部に電磁石１５が設けられている。電磁石１５のスイッチ１６は永久磁石１４が接触可能な位置に配設され、スイッチ１６がＯＮにされたときに、電磁石１５は永久磁石１４と同極になり、反発力が発生するようになっている。
【００３２】
この引出し装置１では、内引出し４の引き出し限界まで引出し３を引き出すと、図４＜ｂ＞に示したように、永久磁石１４がスイッチ１６に接触し、電磁石１５をＯＮとし、電磁石１５は永久磁石１４と同極となる。このとき、永久磁石１４と電磁石１５の間には反発力が発生する。内引出し４の引き出し限界を超えて引出し３を引き出すと、前述のとおり、永久磁石６、７が分離し、引出し３と内引出し４の連結が解除されるので、図４＜ｃ＞に示したように、永久磁石１４と電磁石１５の間の反発力により内引出し４を閉じる方向に後退させる。
【００３３】
このように、図４に示した引出し装置１においても、引出し３を内引出し４の引き出し限界を超えて引き出すことにより、内引出し４を引き出し限界にとどまらせることなく、閉じる方向に自動的に後退させることができる。
【００３４】
なお、本願発明の引出し装置では、使い勝手により内引出し４が引出し３と連動しない方が良い場合もあるため、内引出し４の引き出しを引出し３に連動させず、引出し３のみを引き出せるように、引出し３と内引出し４の連結を解除することができる。そのために、内引出し連動手段は、内引出し４と引出し３との連動とその解除を切り替える切替え手段を備えることができる。
【００３５】
図５＜ａ＞＜ｂ＞は、それぞれ、切替え手段の一実施形態とその動作を示した要部分解斜視図、要部斜視図である。
【００３６】
図５に示した切替え手段では、永久磁石６がスライド体１７に配設されるとともに、扉５の裏面にスライドガイド１８が配設され、スライド体１７はスライドガイド１８の内部に挿入されている。図５＜ａ＞に示したように、スライド体１７には、上下の端縁部に断面が略Ｌ字形のスライド片１９が設けられ、スライドガイド１８には、スライド片１９の差込みを可能とした、同じく断面が略Ｌ字形をしたガイド片２０が設けられている。永久磁石６が配設されたスライド体１７は、図５＜ｂ＞に示したように、スライドガイド１８のガイド片２０に沿って左右方向にスライド可能であり、永久磁石６は配置位置を変えることができる。
【００３７】
内引出し４を引出し３の引き出しに連動させる場合には、図６＜ａ＞に示したように、永久磁石６を内引出し４の前面部８に設けられた永久磁石７に対向させて配置し、両永久磁石６、７を吸着させる。一方、内引出し４の引き出しを引出し３の引き出しに連動させない場合は、永久磁石６を永久磁石７と対向しない位置に配置させる。こうすることにより、内引出し４の連動とその解除の切替えが可能となる。
【００３８】
図７は、切替え手段の別の実施形態を示した分解斜視図である。
【００３９】
図７に示した切替え手段は、図６に示した切替え手段の構成に加え、引出し３の扉５およびスライドガイド１８にそれぞれスリット２１、２２を備えるとともに、スライド体１７の背面側に突出する突起２３を備えている。スライドガイド１８は、スリット２２をスリット２１に一致させて扉５の裏面に配設される。突起２３は、このようにして一致するスリット２１、２２内に挿入され、扉５の表面から突出する。したがって、扉５の表面から突出する突起２３をスリット２１、２２に沿わせて移動させることにより、永久磁石６の配置位置を変えることができる。図７に示した切替え手段では、図８＜ａ＞＜ｂ＞の横断面図に示したように、永久磁石６の配置位置の切替えは引出し３および内引出し４が閉まった状態で行うことができる。図８＜ａ＞の状態では、内引出し４は、引出し３の引き出しに連動し、図８＜ｂ＞の状態では、連動が解除され、引出し３のみの引き出しが可能となっている。
【００４０】
図９＜ａ＞＜ｂ＞は、それぞれ、切替え手段の別の実施形態を示した平面図、縦断面図である。
【００４１】
図９に示した切替え手段では、引出し３の扉５の裏面に電磁石２４が設けられている。電磁石２４のスイッチ２５は扉５の表面に配設されている。電磁石２４は、スイッチ２５をＯＮにすると、永久磁石７と異極となり、永久磁石７と吸着し、内引出し４の引出し３との連動を可能にする。スイッチ２５をＯＦＦにすると、永久磁石７との吸着が解除され、分離し、内引出し４の引出し３との連動が解除される。引出し３のみの引き出しが可能となる。
【図面の簡単な説明】
【００４２】
【図１】本願発明の引出し装置の一実施形態の概要を示した縦断面図である。
【図２】＜ａ＞＜ｂ＞は、それぞれ、本願発明の引出し装置の一実施形態とその動作を示した縦断面図である。
【図３】＜ａ＞＜ｂ＞は、それぞれ、本願発明の引出し装置の別の実施形態とその動作を示した縦断面図である。
【図４】＜ａ＞＜ｂ＞＜ｃ＞は、それぞれ、本願発明の引出し装置の別の実施形態とその動作を示した縦断面図である。
【図５】＜ａ＞＜ｂ＞は、それぞれ、切替え手段の一実施形態とその動作を示した要部分解斜視図、要部斜視図である。
【図６】図５に示した切替え手段による内引出しの引出しとの連動とその解除を示した平面図である。
【図７】切替え手段の別の実施形態を示した分解斜視図である。
【図８】＜ａ＞＜ｂ＞は、それぞれ、図７に示した切替え手段による内引出しの引出しとの連動とその解除を示した横断面図である。
【図９】＜ａ＞＜ｂ＞は、それぞれ、切替え手段の別の実施形態を示した平面図、縦断面図である。
【符号の説明】
【００４３】
１    引出し装置
２    キャビネット
３    引出し
４    内引出し
５    扉
６    永久磁石
７    永久磁石
８    前面部
９    目印
１０    レール
１１    取付け部
１２    ばね
１３    ばね止め部
１４    永久磁石
１５    電磁石
１６    スイッチ
１７    スライド体
１８    スライドガイド
１９    スライド片
２０    ガイド片
２１、２２    スリット
２３    突起
２４    電磁石
２５    スイッチ
【図１】
2006141796.tif 000003
【図２】
2006141796.tif 000004
【図３】
2006141796.tif 000005
【図４】
2006141796.tif 000006
【図５】
2006141796.tif 000007
【図６】
2006141796.tif 000008
【図７】
2006141796.tif 000009
【図８】
2006141796.tif 000010
【図９】
2006141796.tif 000011